(57)【要約】【課題】回路基板の実装面を有効に利用でき、電気部品の配線の余長の管理を簡単に行える構造を有する携帯端末装置を提供すること。【解決手段】この携帯端末装置は、開口、開口の周囲に沿った側壁、および、底部を有する筐体（１０）と、配線を有する電気部品（２１）と、配線が接続されるコネクタを有し筐体に収容される回路基板（３０）と、側壁の内周側に設けられた凹部（１４ａ）と、を具備し、電気部品（２１）は、回路基板（３０）より筐体の底部（１３）側に配置され、コネクタ（３１）は、回路基板（３０）における電気部品（２１）の反対側の面に設けられ、配線（２１ａ）は、凹部（１４ａ）に沿って回路基板（３０）の一面側から他面側へ渡っている構成を採る。【選択図】図５
2014036404.tif 000002
【特許請求の範囲】
【請求項１】
開口、前記開口の周囲に沿った側壁、および、底部を有する筐体と、
配線を有する電気部品と、
前記配線が接続されるコネクタを有し前記筐体に収容される回路基板と、
前記側壁の内周側に設けられた凹部と、
を具備し、
前記電気部品は、前記回路基板より前記筐体の底部側に配置され、
前記コネクタは、前記回路基板における前記電気部品の反対側の面に設けられ、
前記配線は、前記凹部に沿って前記回路基板の一面側から他面側へ渡っている、
携帯端末装置。
【請求項２】
前記側壁には、前記開口の内方へ張り出した張出部が設けられ、
前記凹部は、前記張出部に一部が囲まれた空間である、
請求項１記載の携帯端末装置。
【請求項３】
前記筐体の前記底部には、一端が前記凹部に近接又は接続されるリブが設けられ、
前記配線は、前記リブに沿って案内されている、
請求項１記載の携帯端末装置。
【請求項４】
空隙を挟んで第１幅狭部および第２幅狭部を有する回路基板と、
前記第１幅狭部の付根部分と重なって前記回路基板の一方の面に固着される第１シールドと、
前記第２幅狭部の付根部分と重なって前記回路基板の他方の面に固着される第２シールドと、
を具備する請求項１記載の携帯端末装置。
【請求項５】
前記第１シールドおよび前記第２シールドは同一形状である、
請求項４記載の携帯端末装置。
【請求項６】
前記第１シールドは、前記第１幅狭部の付根部分および前記第２幅狭部の付根部分の両方に重なって固着され、
前記第２シールドは、前記第１幅狭部の付根部分および前記第２幅狭部の付根部分の両方に重なって固着される、
請求項４記載の携帯端末装置。
【発明の詳細な説明】
【技術分野】
【０００１】
本発明は、回路基板を備えた携帯端末装置に関する。
【背景技術】
【０００２】
一般に、携帯端末装置には、バイブレータ（振動部品）、スピーカ、レシーバおよびマイクなどの電気部品が搭載される。これらの電気部品は、筐体等に保持されて配線により回路基板に接続されることがある（例えば、特許文献１，２のバイブレータを参照）。配線はコネクタを介して回路基板に接続されるのが一般的である。
【０００３】
コネクタ接続される電気部品にあっては、接続の作業性を確保するために、配線に余分の長さ（余長と呼ぶ）を持たせるのが一般的である。さらに、配線に余長を持たせた場合には、コネクタ接続後に配線が不都合な箇所にはみ出さないよう、配線の余長を管理する必要がある。例えば、配線の余長はテープまたは把持部材等で固定されて管理されることがある。
【０００４】
また、本発明に関連する先行技術として、特許文献２には、回路基板の表面に配置されたキーシートの電極片が、回路基板の裏面のコネクタに接続される構造が開示されている（特許文献２の図１３を参照）。
【先行技術文献】
【特許文献】
【０００５】
【特許文献１】特開平０８−０５１２８６号公報
【特許文献２】特開平１１−０７４６６５号公報
【発明の概要】
【発明が解決しようとする課題】
【０００６】
従来の携帯端末装置では、コネクタ接続される電気部品の配線の余長管理が煩雑になるという課題があった。
【０００７】
さらに、従来、コネクタ接続される電気部品は、回路基板の配線コネクタのある側に配置されることが多かった。この構成では、回路基板上に配線を這わせるスペースを確保しなければならず、その分、回路基板の実装面積が無駄に減少するという課題があった。
【０００８】
本発明の目的は、回路基板の実装面を有効に利用でき、電気部品の配線の余長の管理を簡単に行える構造を有する携帯端末装置を提供することである。
【課題を解決するための手段】
【０００９】
本発明の一態様に係る携帯端末装置は、開口、前記開口の周囲に沿った側壁、および、底部を有する筐体と、配線を有する電気部品と、前記配線が接続されるコネクタを有し前記筐体に収容される回路基板と、前記側壁の内周側に設けられた凹部と、を具備し、前記電気部品は、前記回路基板より前記筐体の底部側に配置され、前記コネクタは、前記回路基板における前記電気部品の反対側の面に設けられ、前記配線は、前記凹部に沿って前記回路基板の一面側から他面側へ渡っている、構成を採る。
【発明の効果】
【００１０】
本発明によれば、筐体側壁の凹部によって配線の余長管理を容易に行うことができる。また、配線の一部のみが回路基板のコネクタ側を這う構成なので、配線の全部が回路基板の面上を這う構成と比較して、回路基板の実装面の有効利用を図れる。
【図面の簡単な説明】
【００１１】
【図１】本発明の実施の形態の携帯端末装置の第２構成部の分解斜視図
【図２】電気部品と筐体側壁の凹部の周辺を示す斜視図
【図３】電気部品と筐体側壁の凹部の周辺を示す平面図
【図４】回路基板に電気部品のコネクタが接続された状態を示す斜視図
【図５】筐体側壁の凹部の周辺を示す縦断面図
【図６】回路基板のシールド天板を外した状態の四面図
【図７】回路基板のシールド天板を外した状態の斜視図
【図８】回路基板の斜視図
【図９】回路基板のシールド天板を外して裏面を上にした状態の斜視図
【図１０】回路基板の裏面を上にした斜視図
【図１１】回路基板とシールドとの接合構造を説明する平面図
【図１２】図１１のＢ−Ｂ線断面図
【図１３】回路基板とシールドとの接合構造の変形例を示す断面図
【図１４】シールドの変形例を示す（Ａ）表側の平面図および（Ｂ）裏側の平面図
【発明を実施するための形態】
【００１２】
以下、本発明の各実施の形態について図面を参照して詳細に説明する。
【００１３】
［全体構成］
図１は、本発明の実施の形態の携帯端末装置の第２構成部の分解斜視図である。
【００１４】
本実施の形態の携帯端末装置は、表示部を有する第１構成部と、操作キーを有する第２構成部とが、ヒンジ１１を介して回転可能に連結されて構成される。以下では、第２構成部について主に説明する。
【００１５】
携帯端末装置の第２構成部は、図１に示すように、筐体１０と、電池パック２９と、電池蓋２５と、回路基板３０と、板金部材４０と、キーシート（図示略）とを備えている。
【００１６】
筐体１０は、図１の上方が開口されるとともに、開口の周囲に沿った側壁１４と、底部１３とを有する所謂バスタブ型の構成である。底側の一部には電池パック２９を着脱するための電池用開口１２が設けられている。筐体１０は、樹脂を成型して構成される。
【００１７】
筐体１０の底部１３には、例えばバイブレータなどの電気部品２１が保持されている。
【００１８】
回路基板３０は、開口から筐体１０に収容されて固定される。回路基板３０は、筐体１０の底部１３との間に電気部品２１を配置した状態で、筐体１０に固定される。回路基板３０の上面（電気部品２１の反対側の面）には、電気部品２１の配線が接続されるコネクタ３１が実装されている。
【００１９】
板金部材４０は、金属板をプレス加工等して構成される。板金部材４０は、筐体１０に回路基板３０が収容された状態で、筐体１０の上部開口を塞ぐように嵌入される。板金部材４０は、筐体１０の開口に嵌入されることで、筐体１０の剛性を高める。また、板金部材４０は、筐体１０の開口を塞ぐように固定されるキーシートの背面を支持する。
【００２０】
キーシートは、複数のキーと、複数のキーの押下をそれぞれ検出する複数のセンサーとが設けられたシート状の部品である。キーシートは、筐体１０の開口を塞ぐように筐体１０の座面１４ｃ（図２参照）に接着されて、筐体１０の内部を防水領域にする。
【００２１】
［電気部品の配線案内構造］
図２は、電気部品と筐体側壁の凹部の周辺を示す斜視図である。図３は、電気部品と筐体側壁の凹部の周辺を示す平面図である。図４は、回路基板に電気部品のコネクタが接続された状態を示す斜視図である。図５は、筐体側壁の凹部の周辺を示す縦断面図である。
【００２２】
筐体１０の側壁１４には、図２〜図５に示すように、凹部１４ａが設けられている。凹部１４ａは、コネクタ３１の近傍で、筐体１０の内面から外方に窪んだ形状に形成されている。この実施の形態では、凹部１４ａの上方（キーシート側）も、側壁１４の張出部１４ｂ（図５）によって囲まれている。張出部１４ｂは、側壁１４の上方（開口側）から開口の中央側へ張り出した部位である。
【００２３】
側壁１４の上方には、座面１４ｃが設けられている。この座面１４ｃにはキーシートが接着され、この接着により筐体１０の内部の防水性が確保される。
【００２４】
筐体１０の底部１３には、凹部１４ａの手前において、凹部１４ａの方へ伸びる形状のリブ１５ａが形成されている。また、筐体１０の底部１３には、凹部１４ａの手前において、リブ１５ａと並んだ枠体１５ｂが形成されている。そして、リブ１５ａと枠体１５ｂとに挟まれたスペースが凹部１４ａの入口へつながっている。
【００２５】
なお、リブ１５ａおよび枠体１５ｂは、凹部１４ａの僅か手前で途切れている構成としてもよい。
【００２６】
リブ１５ａおよび枠体１５ｂは、電気部品２１の配線２１ａを凹部１４ａの方へ導くガイドとして機能する。さらに、リブ１５ａおよび枠体１５ｂは、回路基板３０の下面を支える機能も担う（図５参照）。
【００２７】
回路基板３０には、凹部１４ａと対向する箇所に切欠３２（図１および図５参照）が設けられている。なお、この切欠３２は省略してもよい。
【００２８】
［組立工程］
次に、組立工程の説明を行う。上記のような構成により、作業者は、電気部品２１の配線２１ａをリブ１５ａおよび枠体１５ｂの間に納めた状態で、回路基板３０を筐体１０に収容および固定する。このとき、電気部品２１の配線２１ａは、凹部１４ａに沿って底部１３側から筐体１０の開口側へ導かれ、コネクタ２１ｂは回路基板３０の上面側（開口側）に出た状態になる。
【００２９】
続いて、作業者は、電気部品２１のコネクタ２１ｂを回路基板３０のコネクタ３１に押し込んで接続する。このとき、回路基板３０はリブ１５ａおよび枠体１５ｂに支えられ、回路基板３０が大きく反ることがない。
【００３０】
コネクタ２１ｂの接続作業のために電気部品２１の配線２１ａには余長が設けられる。しかし、コネクタ２１ｂの接続後、配線２１ａの余長は、意図しない箇所にはみ出すことなく、凹部１４ａおよび回路基板３０の切欠３２の間のスペースに収まる。
【００３１】
なお、図３および図５の例では、配線２１ａは凹部１４ａの中に入っていないが、配線長の製造ばらつきにより配線２１ａが長いものでは、配線２１ａの途中部分が凹部１４ａの中に入り込んで安定する。
【００３２】
以上のように、本実施の形態の携帯端末装置によれば、側壁１４の凹部１４ａによって電気部品２１の配線２１ａの余長を、煩雑な処理を要せず、意図しない箇所へはみ出さないよう管理することができる。よって、配線２１ａが座面１４ｃの部分にはみ出て防水性を低下させるといった不都合も生じない。
【００３３】
また、本実施の形態では、電気部品２１が回路基板３０の裏側に配置され、コネクタ３１が回路基板３０の上面に搭載され、配線２１ａが凹部１４ａに沿って回路基板３０の一面側から他面側へ渡るように構成されている。よって、回路基板３０の上面に電気部品２１および配線２１ａが広い範囲で重なることがなく、回路基板３０の部品の実装面を有効に利用できる。
【００３４】
また、凹部１４ａの手前には、配線２１ａを凹部１４ａへ導くリブ１５ａが設けられている。よって、回路基板３０を固定する際には、電気部品２１の配線２１ａが間違った箇所に行かないように配線２１ａを位置決めできる。
【００３５】
なお、本実施の形態では、リブ１５ａおよび枠体１５ｂが配線２１ａの両側から配線２１ａを案内する構成を例にとって説明したが、凹部１４ａの手前で配線２１ａを案内するリブは片側のみに設けてもよい。また、リブ１５ａは、回路基板３０を下側から支える構成としたが、リブ１５ａは回路基板３０に当接しない高さにしてもよい。
【００３６】
また、本実施の形態では、張出部１４ｂによって凹部１４ａは上下左右の４方が囲まれた構成としたが、凹部は、左右と下方のみが囲まれ、張出部１４ｂの部分は切り欠かれた構成としても良い。
【００３７】
また、本実施の形態では、電気部品としてバイブレータを適用した構成を示したが、電気部品としては、スピーカ、レシーバ、マイク、液晶ドライバなど、様々な部品を適用することができる。また、電気部品の配線は、曲がる方向が定まらないリード線タイプおよび細線同軸タイプである場合に、凹部の構成は特に有用になるが、平面状のフレキシブル配線であっても凹部の構成を有用に適用できる。
【００３８】
［回路基板のシールド構造］
＜回路基板に係る従来の課題＞
従来の携帯端末装置においては、内蔵される回路基板に、切欠および幅の狭い幅狭部が設けられることがあった。このような回路基板では、幅狭部の強度が他の部位より低くなるため、装置に強い衝撃が加わった場合に、幅狭部の付根部分に大きな歪みが生じて、この部分のプリント配線が破損することが考えられた。
【００３９】
このため、従来の携帯端末装置では、回路基板が歪まないよう筐体に複数の受けリブを設けて回路基板を支えることで、回路基板の補強を行うことがあった。しかしながら、実装部品の増加または装置の小型化等により、実装部品が密集してくると、複数の受けリブによって補強に好ましい箇所を支えることが難しくなり、受けリブによる補強が行い難くなるという課題が生じる。
【００４０】
＜実施の形態の構造＞
図６は、回路基板のシールド天板を外した状態の四面図である。図６（Ａ）は底面図、図６（Ｂ）は側面図、図６（Ｃ）は上面図、図６（Ｄ）はＡ−Ａ線断面図である。図７および図８は、回路基板のシールド天板を外した状態および取付けた状態の斜視図である。図９および図１０は、回路基板のシールド天板を外した状態および取付けた状態の斜視図である。
【００４１】
本実施の形態の回路基板３０には、幅の狭められた２つの第１幅狭部３４および第２幅狭部３５が、間隙３３を挟んで設けられている。
【００４２】
間隙３３は、例えば、カメラモジュールなど回路基板３０に実装されない部品５０（図１参照）が配置される部位である。この部品５０は、例えば、回路基板３０に実装すると装置全体の厚みが増してしまうため間隙３３に配置されている。
【００４３】
回路基板３０には、電源端子、外部接続端子のコネクタ、フレキシブルケーブルのコネクタ、電気部品２１のコネクタ３１、メモリカードおよびＩＣカードのカードコネクタ、通信処理を行う集積回路（図示略）、システム制御を行う集積回路（図示略）など、様々な回路部品が実装されている。
【００４４】
なお、第１幅狭部３４の根元および第２幅狭部３５の根元のラインＬ１（図１１参照）は、衝撃等により応力が生じ易い。そのため、実装部品はこのラインをまたがらないように実装されている。
【００４５】
回路基板３０には、集積回路等を覆って輻射ノイズを遮断するシールド３７，３８が設けられている。一方のシールド３７は回路基板３０の一面に配置され、他方のシールド３８は回路基板３０の他面に配置されている。
【００４６】
シールド３７，３８は、特に制限されるものではないが、シールドフレーム３７ａ，３８ａと、シールド天板３７ｂ，３８ｂとからそれぞれ構成される。
【００４７】
シールドフレーム３７ａ，３８ａは、シールド３７，３８の骨組みとなるもので、１枚の金属板をプレス加工および折り曲げ加工して構成される。シールドフレーム３７ａ，３８ａは、回路基板３０の基板面に対してほぼ垂直に立つ垂直部ｈと、垂直部ｈの先から基板面と平行な方向に広がる水平部ｂとを備えている。
【００４８】
水平部ｂは、シールド３７，３８の天面の周縁に沿って狭い幅で平面状に広がるように形成されている。
【００４９】
垂直部ｈは、平板状であり、水平部ｂから折り曲げられ、シールド３７，３８が覆う実装部品よりも僅かに高い寸法を有し、シールド３７，３８の側面ほぼ全周を囲っている（全周のうち角の周辺は除かれても良い）。
【００５０】
シールドフレーム３７ａ，３８ａには、シールド３７，３８の中央部を仕切るように設けられた中間フレーム（垂直部ｈ０および水平部ｂ）が設けられている。中間フレームは、筐体１０のリブ（図示略）および板金部材４０に当接して、回路基板３０を支える作用を担っている。また、中間フレームは、１つのシールド３７（又は３８）内に、複数の独立したシールドスペースを構成する機能を担っている。
【００５１】
図６（Ｄ）に示すように、一方のシールド３７の中間フレームの垂直部ｈ０と、他方のシールド３８の中間フレームの垂直部ｈ０とは、基板面に垂直にみて同一位置で重なるように配置されている。
【００５２】
シールド天板３７ｂ，３８ｂは、金属板をプレス加工して構成され、シールドフレーム３７ａ，３８ａに外嵌してシールド３７，３８の天面を覆う構成である。
【００５３】
シールド３７，３８の形状および配置は次の通りである。
【００５４】
一方のシールド３７は、基板面に垂直に見た平面形状で、一端から他端にかけて幅を有し、他端が鉤状に曲がった多角形状をしている。図７および図８に示すように、シールド３７は、一端から他端にかけて回路基板３０の中央を渡り、他端の曲がった部分が第１幅狭部３４に差し掛かるように配置されている。つまり、シールド３７は、第１幅狭部３４の根元のラインと交差するように配置されている。
【００５５】
他方のシールド３８は、基板面に垂直に見た平面形状で、一端から他端にかけて幅を有し、他端が鉤状に曲がった多角形状をしている。図９および図１０に示すように、シールド３８は、一端から他端にかけて回路基板３０の中央を渡り、他端の曲がった部分が第２幅狭部３５に差し掛かるように配置されている。つまり、シールド３８は、第２幅狭部３５の根元のラインと交差するように配置されている。
【００５６】
図１１は、回路基板とシールドとの接合構造を説明する平面図である。図１２は、図１１のＢ−Ｂ線断面図である。
【００５７】
シールド３７は、図１１および図１２に示すように、垂直部ｈの下端を半田等により基板面と接合することで、回路基板３０に接合されている。接合部Ｊは、シールド３７の全周に渡って設けられても良いが、部分的に設けられても良い。但し、接合部Ｊは、第１幅狭部３４の根元のラインＬ１と交差する部分において、一定の長さに渡って設けられている。
【００５８】
裏側のシールド３８と回路基板３０との接合構造も同様である。
【００５９】
図１３は、回路基板とシールドとの接合構造の変形例を示す断面図である。
【００６０】
なお、シールド３７，３８と回路基板３０との接合構造としては、図１３に示すように、シールド３７，３８の下端部を回路基板３０と平行な方向に少し曲げ、この曲げ部分Ｋを半田等で回路基板３０と接合する構造を採用してもよい。
【００６１】
以上のように、上記のシールド３７，３８によれば、回路基板３０の第１幅狭部３４および第２幅狭部３５の根元部分に剛性を付加して、この部分を補強することができる。また、シールド３７，３８は根元のラインＬ１（図１１参照）と交差する部分において一定の長さに渡って回路基板３０と接合されている。よって、この構成により、第１幅狭部３４および第２幅狭部３５に表面から裏面への方向の力が加わった場合、ならびに、この逆方向の力が加わった場合の両方に対して、曲げ応力に対抗する補強を実現できる。
【００６２】
また、各シールド３７，３８は、２つの幅狭部３４，３５の根元部分のうち、少なくとも一方に重なるように配置すればよいので、必ず両方に重なるように配置する場合と比較して、回路基板３０の実装部品のレイアウト自由度が増す。
【００６３】
また、上記のシールド３７，３８によれば、中間フレームの垂直部ｈ０が基板面の中央で回路基板３０と接合されて回路基板３０を支持している。回路基板３０の中央に基板面に当接される支持体があると、回路基板３０を強固に支持できるという作用が得られる一方、装置に大きな衝撃が加わった場合に、この支持体の箇所で回路基板３０に比較的大きな破断力が生じてしまうという欠点も生じる。しかしながら、本実施の形態では、図６（Ｄ）に示すように、表側と裏側との同位置で中間フレームの垂直部ｈ０，ｈ０が回路基板３０を支えている。よって、装置に大きな衝撃が加わって一面側の垂直部ｈ０から回路基板３０に破断力が与えられても、他面側の垂直部ｈ０の支えによりこの破断力が逃がされる。よって、本実施の形態の構成では、回路基板３０を強固に支持できるとともに、回路基板の支持された箇所の耐衝撃性を向上できる。
【００６４】
なお、シールド３７，３８は、幅狭部３４，３５の根元のラインＬ１と重なる範囲が接合されていない構成であってもよい。この場合でも、シールド３７，３８は、根元のラインＬ１をまたいで一方の側と他方の側とで回路基板３０と接合されていれば、幅狭部３４，３５の根元部分に対して一定以上の補強を実現できる。
【００６５】
また、図６〜図１０に示した表裏２つのシールド３７，３８は、少し形状が異なっているが、同じ形状として同一部品を使用する構成としてもよい。２つのシールド３７，３８が同一部品となることで、部品コストの低減が図れる。
【００６６】
また、シールド３７，３８は、シールドフレーム３７ａ，３８ａとシールド天板３７ｂ，３８ｂとに分離可能な構成とせず、これらが一体的になった構成としてもよい。また、シールド３７，３８の中間フレームは省略してもよい。また、シールド３７，３８の平面形状は、上述の具体的な形状に限られるものでもない。
【００６７】
［シールドの変形例］
図１４は、シールドの変形例を示す（Ａ）表側の平面図および（Ｂ）裏側の平面図である。
【００６８】
この変形例は、表裏２つのシールド３７Ａ，３８Ａをコの字状にしたものである。つまり、シールド３７Ａ，３８Ａの平面形状は、一端および他端の両方が鉤状に曲がった多角形状にされ、一端および他端の曲がった部分が第１幅狭部３４と第２幅狭部３５とにそれぞれ差し掛かるように配置されている。シールド３７Ａ，３８Ａは、平面形状以外は、上述した実施の形態のシールド３７，３８と同様である。
【００６９】
このような構成によれば、回路基板３０の第１幅狭部３４の根元部分と第２幅狭部３５の根元部分とを表側および裏側から二重に補強することができる。
【００７０】
以上、本発明の実施の形態について説明した。
【００７１】
なお、上記実施の形態では、折畳み型の携帯端末装置を例にとって説明したが、本発明は所謂スマートフォンなど箱型の携帯端末装置にも適用できる。
【産業上の利用可能性】
【００７２】
本発明は、携帯電話機、携帯型コンピュータ、携帯型の音楽プレーヤーなどの携帯端末装置に適用できる。
【符号の説明】
【００７３】
１０  筐体
１３  底部
１４  側壁
１４ａ  凹部
１４ｂ  張出部
１４ｃ  座面
１５ａ  リブ
１５ｂ  枠体
２１  電気部品
２１ａ  配線
２１ｂ  コネクタ
３０  回路基板
３１  コネクタ
３３  間隙
３４  第１幅狭部
３５  第２幅狭部
Ｌ１  根元のライン
３７，３７Ａ，３８，３８Ａ  シールド
３７ａ，３８ａ  シールドフレーム
ｈ，ｈ０  垂直部
ｂ  水平部
Ｊ  接合部
３７ｂ，３８ｂ  シールド天板
４０  板金部材
【図１】
2014036404.tif 000003
【図２】
2014036404.tif 000004
【図３】
2014036404.tif 000005
【図４】
2014036404.tif 000006
【図５】
2014036404.tif 000007
【図６】
2014036404.tif 000008
【図７】
2014036404.tif 000009
【図８】
2014036404.tif 000010
【図９】
2014036404.tif 000011
【図１０】
2014036404.tif 000012
【図１１】
2014036404.tif 000013
【図１２】
2014036404.tif 000014
【図１３】
2014036404.tif 000015
【図１４】
2014036404.tif 000016